(57)【要約】【課題】複雑な構成を必要とすることなく、省スペースで複数の飲料を提供することができる液体分配装置を提供する。【解決手段】電磁弁７６ａを有する冷水管６２及び電磁弁７６ｂを有する熱湯管６４と、冷水管６２及び熱湯管６４と連通し、冷水又は熱湯を排出する第一排出管６８、第二排出管７０及び第三排出管７２と、それぞれの排出管を閉鎖する電磁弁とを備え、排出管に備えられた電磁弁のうちの一つを開放し、他の排出管の電磁弁を閉鎖する配管部６０を提供することで、所望の場所に冷水又は温水を供給する。【選択図】図６
2010063800.tif 000002
【特許請求の範囲】
【請求項１】
液体を流入する流入管と、
前記流入管の一部を開閉可能に閉鎖する流入管閉鎖弁と、
前記流入管と連通し、液体を排出する少なくとも２以上の排出管と、
前記排出管の一部をそれぞれ開閉可能に閉鎖する排出管閉鎖弁と、
前記流入管閉鎖弁及び前記排出管閉鎖弁の開閉を制御する制御手段と、
を備え、
前記制御手段は、前記排出管閉鎖弁のうちの一つを開放し、他の排出管閉鎖弁を閉鎖するように制御する、
液体分配装置。
【請求項２】
請求項１に記載の液体分配装置であって、
一方の端部が前記流入管又は前記排出管と連通し、他方の端部が開放している吸排気管、
を備え、
前記制御手段は、前記流入管閉鎖弁を閉鎖した後に、前記排出弁を閉鎖するように制御する、
液体分配装置。
【請求項３】
前記流入管は、少なくとも２以上備えられており、
前記制御手段は、前記流入管閉鎖弁のうちの一つを開放し、他の該流入管閉鎖弁を閉鎖するように制御する、
請求項１又は２に記載の液体分配装置。
【請求項４】
前記吸排気管の開放口は、前記排出管よりも上にある、
請求項１〜３のいずれか１項に記載の液体分配装置。
【請求項５】
前記制御手段は、前記流入管閉鎖弁の少なくとも一つを開放した後に、前記排出管閉鎖弁のうちの一つを開放し、所定量の液体が流入間に流入した後、該流入管閉鎖弁を閉鎖し、前記流入管及び前記排出管内の液体の少なくとも一部が流出した後に、該排出管閉鎖弁を閉鎖する、
請求項１〜４のいずれか１項に記載の液体分配装置。
【請求項６】
請求項１〜５のいずれか１項に記載の液体分配装置と、
前記液体分配装置に液体を供給する液体供給ユニットと、
原料を貯蔵する原料貯蔵部と、前記液体分配装置から供給された液体と該原料貯蔵部から供給された原料とを混合する混合部と、を有する飲料調製ユニットと、
を備えた、飲料供給装置。
【請求項７】
液体を流入する流入管と、前記流入管の一部を開閉可能に閉鎖する流入管閉鎖弁と、前記流入管と連通し、液体を排出する少なくとも２以上の排出管と、前記排出管の一部をそれぞれ開閉可能に閉鎖する排出管閉鎖弁と、前記流入管閉鎖弁及び前記排出管閉鎖弁の開閉を制御する制御手段と、を備えた液体分配装置を制御する方法であって、
前記排出管閉鎖弁のうちの一つを開放し、他の排出管閉鎖弁を閉鎖するステップ、
を含む液体分配装置の制御方法。
【請求項８】
請求項７に記載の液体分配装置の制御方法のステップを１又は２以上のコンピュータに実現させるための制御プログラム。
【発明の詳細な説明】
【技術分野】
【０００１】
本発明は、液体分配装置に関する。
【背景技術】
【０００２】
従来より、様々なタイプの給茶器が知られている。例えば、特許文献１には、茶漉し網を移動させることにより、お湯、冷水、温かいお茶、冷たいお茶の４種類の飲料を供給する給茶器が記載されている。この給茶器では、お湯の導水管の下部に茶漉し網を移動させることにより、一つの導水管でお湯とお茶の２種類の飲料を提供している。
【特許文献１】特開２００４−２０８７４３
【発明の開示】
【発明が解決しようとする課題】
【０００３】
しかしながら、特許文献１に記載された給茶器を用いて、一つの導水管で３種類以上の飲料を提供しようとした場合、飲料の数だけ茶漉し網及びその駆動機構を準備する必要があり、装置が複雑になり部品数が増えるという問題点がある。
【０００４】
ところで、複数の飲料を提供する場合において、茶漉し網を移動させることで一つの導水管から複数の飲料を提供することも考えられるが、予め複数の茶漉し網を用意し、それぞれの茶漉し網に適宜冷水又は熱湯を提供する手法も考えられる。
【０００５】
本発明は、このような課題に鑑みなされたものであり、茶漉し網を移動させるのではなく、複数の排出管を設けることで、２種以上の飲料を提供する場合であっても、よりシンプルな構造で飲料を提供することができる液体分配装置を提供することを主目的とする。
【課題を解決するための手段】
【０００６】
本発明は、上述の目的を達成するために以下の手段を採った。
【０００７】
本発明の液体分配装置は、液体を流入する流入管と、前記流入管の一部を開閉可能に閉鎖する流入管閉鎖弁と、前記流入管と連通し、液体を排出する少なくとも２以上の排出管と、前記排出管の一部をそれぞれ開閉可能に閉鎖する排出管閉鎖弁と、前記流入管閉鎖弁及び前記排出管閉鎖弁の開閉を制御する制御手段と、を備え、前記制御手段は、前記排出管閉鎖弁のうちの一つを開放し、他の排出管閉鎖弁を閉鎖するように制御するものである。
【０００８】
この液体分配装置では、複数の排出管閉鎖弁のうちの一つを開放し、他の排出管閉鎖弁を閉鎖することにより、所望の排出管から液体を排出するため、それぞれの排出管の下に茶漉し網を設けた場合に必要となる複雑な駆動機構を、本訴うちでは必要とすることなく省スペースで複数の飲料を提供することができる。
【０００９】
本発明の液体分配装置において、前記流入管及び前記排出管と連通する吸排気管、を備え、前記制御手段は、前記流入管閉鎖弁を閉鎖した後に、前記排出弁を閉鎖するように制御するものであってもよい。こうすれば、流入管閉鎖弁を閉鎖した後であっても、流入管及び排出管が吸排気管を通して開放状態に保たれるため、流入管及び排出管内の液体の一部又は全部を排出することができる。このため、液体分配装置を連続して２回以上用いた場合に、１回目で流入した液体と、２回目で流入した液体とが混合する量が少なくでき、全てを排出した場合には、全く混合しない。
【００１０】
本発明の液体分配装置において、前記流入管は、少なくとも２以上備えられており、前記制御手段は、前記流入管閉鎖弁のうちの一つを開放し、他の該流入管閉鎖弁を閉鎖するように制御するものであってもよい。こうすれば、例えば、高温の液体と低温の液体との温度の異なる２種類の液体に対して本発明の液体分配装置を用いた場合には、２種類の液体が混ざり合ったときの影響が大きくなり、本発明を適用する効果がより高い。
【００１１】
本発明の液体分配装置において、前記吸排気管の開放口は、前記排出管よりも上にあってもよい。こうすれば、流入管及び排出管中の液体が吸排気管から流出することを防ぐことができる。
【００１２】
本発明の液体分配装置において、前記制御手段は、前記流入管閉鎖弁の少なくとも一つを開放した後に、前記排出管閉鎖弁のうちの一つを開放し、所定量の液体が流入間に流入した後、該流入管閉鎖弁を閉鎖し、前記流入管及び前記排出管内の液体の少なくとも一部が流出した後に、該排出管閉鎖弁を閉鎖するものであってもよい。こうすれば、開放管が無い場合には流入管及び排出管内にとどまる可能性の高い液体についても、その液体の少なくとも一部を排出管から排出することができる。
【００１３】
本発明の液体供給装置は、上述したいずれかに記載の液体分配装置と、前記液体分配装置に液体を供給する液体供給ユニットと、原料を貯蔵する原料貯蔵部と、前記液体分配装置から供給された液体と該原料貯蔵部から供給された原料とを混合する混合部と、を有する飲料調製ユニットと、を備えたものである。本発明の液体分配装置を搭載した液体供給装置は、本発明の液体分配装置を搭載しているため、それぞれの排出管の下に茶漉し網を設けた場合、複雑な駆動機構を必要とすることなく、省スペースで複数の飲料を提供することができるものであるから、これを搭載した液体供給装置も同様の効果が得られる。
【００１４】
本発明の液体供給装置の制御方法は、液体を流入する流入管と、前記流入管の一部を開閉可能に閉鎖する流入管閉鎖弁と、前記流入管と連通し、液体を排出する少なくとも２以上の排出管と、前記排出管の一部をそれぞれ開閉可能に閉鎖する排出管閉鎖弁と、前記流入管閉鎖弁及び前記排出管閉鎖弁の開閉を制御する制御手段と、を備えた液体分配装置を制御する方法であって、前記排出管閉鎖弁のうちの一つを開放し、他の該排出管閉鎖弁を閉鎖するステップ、を含むものである。
【００１５】
本発明の液体供給装置の制御方法は、所定の一の排出管閉鎖弁を開放することにより、複数の排出管閉鎖弁のうちの一つを開放し、他の排出管閉鎖弁を閉鎖することにより、所望の排出管から液体を排出するため、それぞれの排出管の下に茶漉し網を設けた場合、複雑な駆動機構を必要とすることなく、省スペースで複数の飲料を提供することができる。
【００１６】
本発明の液体供給装置の制御方法において、液体供給装置の制御方法は上述したいずれかの画像処理装置が備えている各種構成を追加しても良いし、又、上述したいずれかの画像処理装置の機能を実現するようなステップを追加しても良い。
【００１７】
本発明の制御プログラムは、１又は複数のコンピュータに、液体分配装置の制御方法の各ステップを実行させるためのプログラムである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述した制御方法と同様の効果を得ることができる。
【発明を実施するための最良の形態】
【００１８】
次に本発明の実施の形態を図面に基づいて説明する。図１は、ディーサーバ１０の外観を表す全体図であり、図２は、ティーサーバ１０の構成を説明するための説明図であり、図３はキャニスタ部４０の開閉状態を説明するための説明図であり、図４は、キャニスタ本体５０の開閉状態を説明するための説明図であり、図５は、配管部６０の構成の概略を説明するための説明図であり、図６は、配管部６０の構成の概略を説明するための模式図であり、図７は、混合部８０の構成を説明するための上面図である。本発明のティーサーバ１０は、図１に示すように、ウォーターサーバユニット２０の前面に給茶器ユニット３０を取り付けたものである。
【００１９】
ここで、本実施の形態の構成要素と本発明の構成要素との対応関係を明らかにする。本実施形態の冷水管６２及び熱湯管６２が本発明の流入管に相当し、電磁弁７６が流入管閉鎖弁及び排出管閉鎖弁に相当し、第一排出管６８、第二排出管７０、第三排出管７２及び第四排出管７４が排出管に相当し、コントローラが制御手段に相当し、開放管６６が開放管に相当し、配管部６０が液体分配装置に相当し、ウォーターサーバユニット２０が液体供給ユニットに相当し、キャニスタ本体５０が原料貯蔵部に相当し、混合部８０が混合部に相当し、給茶器ユニット３０が飲料調製ユニットに相当する。なお、本実施の形態では、ティーサーバ１０の動作を説明することにより本発明の配管部６０の制御方法の一例も明らかにしている。
【００２０】
ウォーターサーバユニット２０は、図２に示すように、上部に取り外し可能に取り付けられた給水ボトル２２と、冷水タンク２４と、熱湯タンク２６と、を備えている。この給水ボトル２２は、透明な素材でできている。このため、給水ボトル２２内の水の残量を一目で知ることができるため、使用者に給水ボトル２２の交換時期を知らせることができる。更に、透明感により需要者に清潔感を与えることができる。この冷水タンク２４及び熱湯タンク２６は給水ボトル２２と図示しない給水管により接続されている。給水ボトル２２から導出された水は、図示しないヒータ又は冷却器によって加熱又は冷却される。
【００２１】
給茶器ユニット３０は、図２に示すように、上から順に、原料（例えば、茶粉）を貯蔵するキャニスタ部４０と（図３参照）、冷水タンク２４及び熱湯タンク２６から冷水又は熱湯を供給する配管部５０と（図５参照）、冷水又は熱湯と原料とを混合する混合部６０と（図６参照）、を備えている。冷水タンク２４及び熱湯タンク２６から導出された冷水又は熱湯が配管部６０を経て混合部８０に供給される。冷水又は熱湯とキャニスタ部４０から供給された原料とが混合部８０で混合され、紙コップ１００に供給される。
【００２２】
キャニスタ部４０は、図２に示すように、キャニスタ本体５０と、キャニスタ挿入孔４２と、キャニスタ固定部４４と、を備えている。キャニスタ本体５０は、図４に示すように、キャニスタ本体５０の上面に回転可能な突起部５２と、キャニスタ本体５０の下部にキャニスタ本体５０に貯蔵された原料を排出する排出口５４と、を備え、キャニスタ本体５０の上面の一部が開閉可能な蓋５３を有している。突起部５２は、図４（Ａ）に示すように、突起部５２の回転方向に向かって後方に傾斜面を有する略直角三角形形状をし、互いに略平行に配置された２つの部材からなる。なお、ここで略直角三角形状とは、直角三角形形状に加えて、直角三角形の各頂点の少なくとも一つが円弧状になった形状など直角三角形と同視できる形状を意味し、略平行とは、平行状態に加えて、配置された二つの部材両端が、それぞれ接触しない状態を意味する。羽５６は、図４に示すように、キャニスタ本体上部の突起部５２と連通しており、下部にはスクリュー部５８を有する。このため、突起部５２が回転することにより、同時に羽５６とスクリュー部５８とが同時に回転する。すなわち、キャニスタ本体５０の内部に貯蔵された原料が、羽５６によって撹拌され、スクリュー部５８を経て、一定量だけ排出口５４から排出される。こうすることにより、貯蔵中に粉体である茶粉が固まった場合であっても、羽５６によって撹拌され、スクリュー部７６によって回転数に応じて一定量の粉末を排出することができる。
【００２３】
ここで、キャニスタ部４０に、キャニスタ本体５０を固定する方法について、詳しく説明する。キャニスタ本体５０をキャニスタ部４０に固定する際には、図３（Ａ）に示すように、まず、キャニスタ部４０に備えられたキャニスタ挿入孔４２にキャニスタ本体５０の一部を挿入する。次に、図３（Ｂ）に示すように、キャニスタ固定部４４を回動させ、キャニスタ本体５０の上部をキャニスタ固定部４４で固定する（本発明の、当接位置に相当）。キャニスタ固定部４４の一辺はキャニスタ部４０と当接しており、この一辺を軸としてキャニスタ固定部４４は上下に回動する。このキャニスタ固定部４４を下方（キャニスタ本体５０に近づける方向）に回動させると、キャニスタ固定部４４の下部に備えられた回転棒４６が、キャニスタ本体５０の上部に備えられた突起部５２と噛合する。すなわち、突起部５２に略平衡に配置された二つの部材の間に回転棒４６が入り込む。このとき、上述したように、突起部５２は、突起部５２の回転方向に向かって後方に傾斜面を有する略直角三角形形状をしているため、キャニスタ固定部４４を当接位置に移動させる際、回転棒４６がこの傾斜面と接触した場合には、回転棒４６がこの傾斜面に沿って下方に移動するにつれて突起部５２又は回転棒４６が回転し、突起部５２の回転位置とは関わりなく、回転棒４６が略平行に配置された二つの部材の間に導かれる。更に、突起部５２は回転方向に向かって後方に斜面を有する直角三角形形状であるため、回転棒４６が下方に移動する際、突起部５２に対して、回転方向とは逆方向に力がかかるおそれがない。このため、突起部５２と連通するスクリュー部５８が逆回転し、スクリュー部５８の下部に粉末原料を有しない領域が生じ、原料の少ない（つまり、濃度の薄い）飲料が調製されることを未然に防止することができる。一方、キャニスタ本体５０をキャニスタ部４０から外す際には、キャニスタ本体５０の上部を固定しているキャニスタ固定部４４を上方向に回動させ、図３（Ａ）に示すように、キャニスタ部４０とキャニスタ固定部４４とを当接させ、キャニスタ本体５０を開放する（本発明の、開放位置の一つに相当）。こうすることにより、キャニスタ本体５０をキャニスタ部４０から容易に取り外すことができる。
【００２４】
キャニスタ固定部４４の内部には、図示しないキャニスタモータが備えられており、このキャニスタモータを作動することにより、回転棒４６を回転させることができる。この回転棒４６は、キャニスタ固定部４４の下部に備えられており、回転棒４６の中心位置でキャニスタ固定部４４と接している。この接点は、図示しない駆動軸によりキャニスタモータの動力が伝達され、キャニスタモータが回転すると回転棒４６も同時に回転する。また、この回転棒４６は、上述したように、キャニスタ本体５０の上面の突起部５２と噛合可能である。このため、上述したように、キャニスタ本体５０がキャニスタ固定部４４で固定された状態である場合には、図示しないキャニスタモータを作動すると、連動して回転棒４６が回転し、回転棒４６と噛合した突起部５２が回転する。
【００２５】
配管部６０は、図５に示すように、冷水タンク２４に繋がる冷水管６２と、熱湯タンクに繋がる熱湯管６４と、常時開放されている開放管６６と、混合部に冷水又は熱湯を供給する第一排出管６８・第二排出管７０・第三排出管７２・第４四排出管７４と、それぞれの管の端部を開閉する電磁弁７６と、を備えている。これらの電磁弁７６は、未使用時には閉鎖されており、例えば、熱湯を第一排出口６８から排出する場合には、熱湯管６４に備えられた閉鎖弁７６ｂ（図６参照）及び第一排出口６８に備えられた閉鎖弁７６ｃ（図６参照）を開放する。こうすることにより、熱湯管６４から熱湯が導入され、第一排出管６８から熱湯が排出される。このとき、配管部６０は開放管６６を備えているため、全ての電磁弁７６が閉鎖している場合であっても、配管部６０が密閉されることはない。こうすることにより、閉鎖弁７６ｂを閉鎖した後であっても、配管部６０内の熱湯を第一排出管６８から熱湯を排出することができる。なお、それぞれの電磁弁７６の開閉は、図示しないコントローラにより開閉制御される。また、熱湯を他の排出口から排出する場合や、冷水を排出する場合も同様であるため、ここでは説明を省略する。
【００２６】
ここで、電磁弁７６の開閉制御について、第一排出管６８から熱湯を排出する場合を例に、更に詳しく説明する。電磁弁７６は図示しないコントローラと接続されており、電磁弁７６のＯＮ及びＯＦＦを制御することにより電磁弁の開閉を制御する。まず、コントローラは電磁弁７６ａの電磁弁７６ａを開放し、熱湯管６４から第一排出管６８内に熱湯を導入する。次に、コントローラは電磁弁７６ｃを開放し、第一排出管６８より熱湯を排出する。そして、所定量の熱湯を第一排出管６８から排出した後、コントローラは電磁弁７６ａを閉鎖する。この場合であっても、開放管６６によって配管内が密閉されることはなく、第一排出管６８より熱湯が更に排出される。次に、第一排出管６８より熱湯が十分排出された後、コントローラは電磁弁７６ｃを閉鎖する。こうすることにより、電磁弁７６ａと電磁弁７６ｃとの間に残る熱湯の量を最小限に抑えることができる。このため、この次に冷水管６２を開放した場合であっても、熱湯と冷水とが混ざり合うことを最小限に抑えることができる。また、電磁弁７６ａと電磁弁７６ｃとの間に残る熱湯の量を無くすることができれば、熱湯と冷水とが混ざり合うことを完全に防ぐことができる。なお、熱湯を他の排出口から排出する場合や、冷水を排出する場合も同様であるため、ここでは説明を省略する。
【００２７】
混合部８０は、図７に示すように、１枚の板状の部材に第一凹部８２と、第二凹部８４と、第三凹部８６と、第四凹部８８と、を備えており、第一凹部８２、第二凹部８４又は第三凹部８６で原料である茶粉と冷水又は熱湯とが混合される。このように、混合部８０が１枚の板状の部材からなるため、混合部６０を掃除する際には、複数の凹部を同時に掃除することができるため、手間を省くことができる。
【００２８】
第一凹部８２は、図７に示すように、茶粉と冷水または熱湯の混合物を排出するための第一給茶口９２を備えている。第一凹部８２は、狭部８２ａと広部８２ｂの二つの部分からなり、狭部８２ａは第一級茶口９２よりも高い位置であり、且つ、第一排出管６８の直下に位置する。このため、第一排出管６８から排出された冷水又は熱湯は、狭部８２ａに摘下され、自重により第一給茶口９２に導かれる。広部８２ｂは、排出口５４の直下に位置し、狭部８２ａから第一級茶口９２に向かって徐々に低くなる構造である。このため、第一排出管６８より広部８２ａに供給された茶粉を狭部８２ａから流入した冷水又は熱湯が広部８２ａを通過する間に溶かし、第一給茶口９２に到達する間に飲料が調製される。また、第四凹部８８は、冷水又は熱水をそのまま紙コップ１００に茶粉を混合することなく供給する際に用いられる。なお、冷水又は熱湯と原料とが第一凹部８２で混合される場合について説明したが、第二凹部８４及び第三凹部８６の構造は第一凹部８２の構造と同様であり、第二凹部８４及び第三凹部８６で混合される場合であっても同様であるため、ここでは説明を省略する。
【００２９】
第一凹部８２で混合された飲料（原料と冷水又は熱湯との混合物）は、第一給茶口９２から、予め設置された紙コップ１００に滴下される。このとき、第一給茶口９２には、清流弁９９が設けられているため、飲料を紙コップ１００に確実に供給することができる。
【００３０】
以上詳述した本実施の形態のティーサーバ１０によれば、冷水を流入する冷水管６２及び熱湯を流入する熱湯管６４と、冷水管６２の一部を開閉可能に閉鎖する電磁弁７６ａ及び熱湯管６４の一部を開閉可能に閉鎖する電磁弁７６ｂと、冷水管６２及び熱湯管６４と連通し、冷水又は熱湯を排出する第一排出管６８、第二排出管７０及び第三排出管７２と、第一排出管６８の一部を開閉可能に閉鎖する電磁弁７６ｃ、第二排出管７０の一部を開閉可能に閉鎖する電磁弁７６ｄ及び第三排出管７２の一部を開閉可能に閉鎖する電磁弁７６ｅと、電磁弁７６の開閉を制御する図示しないコントローラと、を備え、電磁弁７６ｃを開放し、電磁弁７６ｄ、７６ｅを閉鎖する。こうすることにより、それぞれの排出管の下に茶漉し網を設けた場合、複雑な駆動機構を必要とすることなく、省スペースで複数の飲料を提供することができる。
【００３１】
また、本実施の形態のティーサーバ１０によれば、冷水管６２及び第一排出管６８と連通す開放管６６を備え、図示しないコントローラは、電磁弁７６ａを閉鎖した後に、電磁弁７６ｃを閉鎖するように制御する。こうすることにより、冷水管６２又は第一排出管６８の内部に液体が残っていたとしても、液体を第一排出管６８より排出することができる。
【００３２】
更に、本実施の形態のティーサーバ１０によれば、冷水管６２及び熱湯管６４を備えており、図示しないコントローラは、電磁弁７６ｃを開放し、電磁弁７６ａを閉鎖するように制御する。冷水管６２から流入する冷水と熱湯管６４から流入する熱湯との温度差が高く、熱湯と冷水とが混ざり合うと影響が大きいため、本実施の形態の配管部６０を用いた場合の効果が高い。
【００３３】
そして、本実施の形態のティーサーバ１０によれば、開放管６６の開放口は、第一排出管６８よりも上にある。こうすることにより、開放管６６に液体が流入することを防ぐことができる。
【００３４】
更にまた、本実施の形態のティーサーバ１０によれば、図示しないコントローラは、電磁弁７６ａを開放した後に、電磁弁７６ｃを開放し、所定量の熱湯が流出した後に、電磁弁７６ａを閉鎖し、熱湯管６４及び第一排出管６８内の熱湯の少なくとも一部が流出した後に電磁弁７６ｃを閉鎖する。こうすることにより、熱湯管６４及び第一排出管６８内に熱湯が残る量を減少することができる。
【００３５】
なお、本発明は上述した実施形態に何ら限定されることはなく、本発明の技術的範囲に属する限り種々の態様で実施し得ることはいうまでもない。
【００３６】
例えば、上述した実施の形態では、電磁弁７６ｂを備えることとしたが、開閉可能に閉鎖することのできる弁であれば、電磁弁に限定されるものではなく、公知の種々のバルブを用いても良い。この場合も、上述した実施の形態と同様の効果が得られる。
【００３７】
上述した実施の形態では、開放管６６には電磁弁を設けないものとしたが、電磁弁を設け、管内の液体が全て排出した後にこの電磁弁を閉鎖するように制御しても良い。こうすれば、上述した実施の形態と同様の効果が得られ、更に、使用時以外には、配管部６０の管内を密閉できるため、外部からの異物の混入を防ぐことができる。
【００３８】
上述した実施の形態では、キャニスタ本体５０をキャニスタ部４０から外す際、キャニスタ部４０とキャニスタ固定部４４とを当接させることとしたが、キャニスタ固定部４４に爪部を備え、キャニスタ部４０にこの爪部を係止する凹部を備えるようにしても良い。こうすれば、キャニスタ固定部４４がキャニスタ部４０に固定されるため、キャニスタ本体５０を取り外す際、キャニスタ固定部４４が倒れるおそれがない。なお、キャニスタ固定部４４を固定する方法は爪部と凹部に限定されるものではなく、例えば、雄型のボタンと雌型のボタンや、プラスとマイナスの磁石などキャニスタ固定部４４をキャニスタ部４０に着脱可能に固定できるものであればよい。
【００３９】
上述した実施の形態では、突起部５２は上方向に略直角三角形状としたが、突起部５２の向きは横方向でも斜方向であっても、回転棒４６に相当する部材に噛合する方向であれば特に限定されるものではない。また、突起部５２の形状も、三角形状、鈍角三角形状、四角形状、略矩形状、半円形状など、回転棒４６に相当する部材に噛合する形状であれば、特に限定されるものではない。この場合も、上述した実施の形態と同様の効果が得られる。
【図面の簡単な説明】
【００４０】
【図１】図１は、ティーサーバ１０の外観を表す斜視図である。
【図２】図２は、ティーサーバ１０の構成を説明するための部分拡大図である。
【図３】図３は、キャニスタ部４０の開閉状態を説明するための説明図である。
【図４】図４は、キャニスタ本体５０の開閉状態を説明するための説明図である。
【図５】図５は、配管部６０の構成の概略を説明するための説明図である。
【図６】図６は、配管部６０の構成の概略を説明するための模式図である。
【図７】図７は、混合部８０の構成を説明するための平面図である。
【符号の説明】
【００４１】
１０  ティーサーバ、２０  ウォーターサーバユニット、２２  給水ボトル、２４  冷水タンク、２６  熱湯タンク、３０  給茶器ユニット、４０  キャニスタ部、４２  キャニスタ挿入孔、４４  キャニスタ固定部、４６  回転棒、５０  キャニスタ本体、５２  突起部、５３  蓋、５４  排出口、５６  羽、５８  スクリュー部、６０  配管部、６２  冷水管、６４  熱湯管、６６  開放管、６８  第一排出管、７０  第二排出管、７２  第三排出管、７４  第四排出管、７６  電磁弁、８０  混合部、８２  第一凹部、８２ａ  狭部、８２ｂ  広部、８４  第二凹部、８４ａ  狭部、８４ｂ  広部、８６  第三凹部、８６ａ  狭部、８６ｂ  広部、８８  第四凹部、９２  第一給茶口、９４  第二給茶口、９６  第三給茶口、９８  第四給茶口、９９  清流弁、１００  紙コップ。
【図１】
2010063800.tif 000003
【図２】
2010063800.tif 000004
【図３】
2010063800.tif 000005
【図４】
2010063800.tif 000006
【図５】
2010063800.tif 000007
【図６】
2010063800.tif 000008
【図７】
2010063800.tif 000009